(57)【要約】【課題】ヒューズ部の良好な動作性を得られる金属化フィルムコンデンサを提供する。【解決手段】金属化フィルム２、３の蒸着電極２Ｂ、３Ｂが、誘電体フィルム２Ａ、３Ａの長手方向及び幅方向に並ぶ小電極１４、１５、１６に形成されており、ある任意の小電極１４、１５、１６と、この小電極１４、１５、１６と誘電体フィルム２Ａ、３Ａの幅方向で隣接する小電極１４、１５、１６との間にはヒューズ部１２が形成され、この小電極１４、１５、１６と誘電体フィルム２Ａ、３Ａの長手方向の両側でそれぞれ隣接する２個の小電極１４、１５、１６との間には、いずれか一方の小電極１４、１５、１６との間にのみヒューズ部１７が形成されている。【選択図】図１
2016111030.tif 000002
【特許請求の範囲】
【請求項１】
誘電体フィルム（２Ａ、３Ａ）に蒸着電極（２Ｂ、３Ｂ）を形成してなる金属化フィルム（２、３）を重ね合わせた金属化フィルムコンデンサであって、上記蒸着電極（２Ｂ、３Ｂ）は、誘電体フィルム（２Ａ、３Ａ）の長手方向及び幅方向に並ぶ小電極（１４、１５、１６）に形成され、ある任意の小電極（１４、１５、１６）と、この小電極（１４、１５、１６）と誘電体フィルム（２Ａ、３Ａ）の幅方向で隣接する小電極（１４、１５、１６）との間には第２ヒューズ部（１２）が形成され、この小電極（１４、１５、１６）と誘電体フィルム（２Ａ、３Ａ）の長手方向の両側でそれぞれ隣接する２個の小電極（１４、１５、１６）との間には、いずれか一方の小電極（１４、１５、１６）との間にのみ第３ヒューズ部（１７）が形成されていることを特徴とする金属化フィルムコンデンサ。
【請求項２】
上記第３ヒューズ部（１７）は千鳥状に配置されている請求項１記載の金属化フィルムコンデンサ。
【請求項３】
上記第２ヒューズ部（１２）は直線状に並んで形成されている請求項１又は２記載の金属化フィルムコンデンサ。
【発明の詳細な説明】
【技術分野】
【０００１】
この発明は、誘電体フィルムに蒸着電極を形成してなる金属化フィルムを重ね合わせた金属化フィルムコンデンサに関する。
【背景技術】
【０００２】
金属化フィルムコンデンサにおいて、誘電体フィルムの表面に蒸着された蒸着電極を絶縁スリットによって区画し、区画された小電極を、ヒューズ部を介して接続することは従来から行われている（例えば特許文献１参照）。このような構成の金属化フィルムコンデンサは、絶縁欠損部の蒸着電極を飛散させることで絶縁を回復する自己回復機能に加えて、自己回復機能で絶縁を回復できなかった場合に、ヒューズ部を切り離すことで絶縁を回復させる自己保安機能を備えている。
【０００３】
また、自己保安機能が働くと、当該小電極の面積に応じて静電容量が減少することから、蒸着電極を細かく区画し、自己保安機能が働いた場合における静電容量の低下を極力抑えるといったことも行われている（例えば特許文献１の図４、図６参照）。
【先行技術文献】
【特許文献】
【０００４】
【特許文献１】特開２００４−１３４５６１号公報
【発明の概要】
【発明が解決しようとする課題】
【０００５】
ところで、特許文献１の図４や図６に開示されている金属化フィルムでは、フィルムの長手方向及び幅方向に隣接する小電極同士がそれぞれヒューズ部を介して互いに接続されている。このような構成は、小電極同士を繋ぐ電流経路が多数形成されることから、いずれかの小電極において自己保安機能が働き、電気的に他の小電極と切り離された場合でも、その小電極よりも下流側に位置する小電極までもが切り離されるといったことが生じ難い。そのため、例えば、フィルム幅方向のみにヒューズ部を設けるものと比べて、自己保安機能による静電容量の低下を抑えることができる。
【０００６】
しかし、上記構成では、１個の小電極に多数（４個、絶縁マージンと接する小電極においては３個）のヒューズ部が設けられることから、特に、印加電圧が低い場合や温度が高い場合には、一部又は全てのヒューズ部が動作せず、絶縁破壊が生じる虞があった。
【０００７】
そこで、この発明は、上記課題を解決するためになされたものであって、ヒューズ部の良好な動作性を得られる金属化フィルムコンデンサの提供を目的とする。
【課題を解決するための手段】
【０００８】
上記課題を解決するため、本発明の金属化フィルムコンデンサ１は、誘電体フィルム２Ａ、３Ａに蒸着電極２Ｂ、３Ｂを形成してなる金属化フィルム２、３を重ね合わせた金属化フィルムコンデンサであって、上記蒸着電極２Ｂ、３Ｂは、誘電体フィルム２Ａ、３Ａの長手方向及び幅方向に並ぶ小電極１４、１５、１６に形成され、ある任意の小電極１４、１５、１６と、この小電極１４、１５、１６と誘電体フィルム２Ａ、３Ａの幅方向で隣接する小電極１４、１５、１６との間には第２ヒューズ部１２が形成され、この小電極１４、１５、１６と誘電体フィルム２Ａ、３Ａの長手方向の両側でそれぞれ隣接する２個の小電極１４、１５、１６との間には、いずれか一方の小電極１４、１５、１６との間にのみ第３ヒューズ部１７が形成されていることを特徴としている。
【０００９】
また、上記第３ヒューズ部１７は千鳥状に配置されていることが好ましい。
【００１０】
さらに、上記第２ヒューズ部１２が直線状に並んで形成されていることが好ましい。
【発明の効果】
【００１１】
この発明の金属化フィルムコンデンサでは、小電極が、誘電体フィルムの長手方向の両側でそれぞれ隣接する２個の小電極のうち、いずれか一方の小電極とのみヒューズ部を介して接続されていることから、誘電体フィルムの長手方向及び幅方向に隣接する小電極同士がそれぞれヒューズ部を介して互いに接続されているものに比べて、小電極に接続されるヒューズ部の数が少なく、印加電圧が低い場合や温度が高い場合等においても、ヒューズ部の動作性が向上し、絶縁破壊の発生を抑制することができる。また、電流経路の複雑化を防止することができる。
【００１２】
また、第３ヒューズ部が千鳥状に配置されていれば、小電極１個当たりのヒューズ部の数を減らしながらも、誘電体フィルムの長手方向の電流経路を確保することができ、自己保安機能による静電容量の低下を抑えることができる。
【００１３】
さらに、第２ヒューズ部を直線状に並べることで、電流経路の短縮が図られ、ＥＳＲ（等価直列抵抗）の低減を図ることができる。
【図面の簡単な説明】
【００１４】
【図１】図１ａは、本発明の実施形態に係る金属化フィルムコンデンサを示す断面図であって、図１ｂは、金属化フィルムの平面図である。
【発明を実施するための形態】
【００１５】
次に、この発明の金属化フィルムコンデンサ１の実施形態を図面に基づいて詳細に説明する。図１ａに示すように、本発明の金属化フィルムコンデンサ１は、第１金属化フィルム２と第２金属化フィルム３とを重ね合わせるとともに、端部にメタリコン電極４を形成することで構成されている。
【００１６】
第１、第２金属化フィルム２、３は、図１ａに示すように、第１、第２誘電体フィルム２Ａ、３Ａの表面にアルミや亜鉛等をそれぞれ蒸着させ、第１誘電体フィルム２Ａ表面に第１蒸着電極２Ｂを、第２誘電体フィルム３Ａ表面に第２蒸着電極３Ｂを形成することで構成されている。以下、金属化フィルムの構成について具体的に説明するが、第１金属化フィルム２と第２金属化フィルム３とは略同様とされていることから、主として第１金属化フィルム２についてのみ説明し、同様の構成については同符号を付して詳細な説明は省略する。
【００１７】
第１金属化フィルム２には、図１ｂに示すように、第１誘電体フィルム２Ａの幅方向（以下、フィルム幅方向と称す）の一方端部に、第１誘電体フィルム２Ａの全長に亘って、メタリコン電極４との接続を避けるための絶縁マージン５が形成されている。また、フィルム幅方向の他方端部には、メタリコン電極４と接続するための電極接続部６が形成されている。
【００１８】
第１蒸着電極２Ｂには、その有効電極幅Ｗの略中央よりやや電極接続部６側に、第１誘電体フィルム２Ａの長手方向（以下、フィルム長手方向と称す）に向かって、金属の蒸着されない絶縁スリット７が断続的に形成されている。また、絶縁スリット７、７間には第１ヒューズ部８が略等間隔に形成されている。なお、この状態は、フィルム長手方向に向かって延びる絶縁スリット７上に第１ヒューズ部８が略等間隔に形成されているともいえ
る。そして、絶縁マージン５側と電極接続部６側とに区画された蒸着電極同士は、第１ヒューズ部８を介して接続されている。以下、絶縁マージン５側の蒸着電極を第１分割電極９、電極接続部６側の蒸着電極を第２分割電極１０と称す。
【００１９】
第１分割電極９は、図１ｂに示すように、金属の蒸着されない横区画スリット１１及び縦区画スリット１３によって格子状に区画されている。
【００２０】
横区画スリット１１は、第１分割電極９をフィルム幅方向に３分割するようにして、フィルム長手方向に向かって断続的に形成されている。また、横区画スリット１１、１１間に第２ヒューズ部１２が略等間隔に形成されている。なお、この状態は、フィルム長手方向に向かって延びる横区画スリット１１上に第２ヒューズ部１２が略等間隔に形成されているともいえる。そして、横区画スリット１１によってフィルム幅方向に区画された蒸着電極同士は、第２ヒューズ部１２を介して接続されている。また、横区画スリット１１は、フィルム長手方向において、絶縁スリット７と略同位置に形成されている。そのため、横区画スリット１１、１１間の第２ヒューズ部１２は、フィルム長手方向において、絶縁スリット７、７間の第１ヒューズ部８と略同位置に形成されている。すなわち、第１、第２ヒューズ部８、１２がフィルム幅方向に直線状に並んだ状態とされている。また、横区画スリット１１、１１のフィルム幅方向の間隔は、絶縁マージン５側に向かうにつれ徐々に狭くなっている。
【００２１】
縦区画スリット１３は、絶縁マージン５から絶縁スリット７にかけて、フィルム幅方向に向かって形成されている。そして、これにより、第１分割電極９が、フィルム長手方向及び幅方向に並ぶ小電極に形成されているのである。なお、以下、説明のために、絶縁マージン５と横区画スリット１１と互いに隣接する２本の縦区画スリット１３とで囲まれた蒸着電極を小電極１４、互いに隣接する２本の横区画スリット１１と互いに隣接する２本の縦区画スリット１３とで囲まれた蒸着電極を小電極１５、横区画スリット１１と絶縁スリット７と互いに隣接する２本の縦区画スリット１３とで囲まれた蒸着電極を小電極１６と称す。
【００２２】
ところで、フィルム長手方向に隣接する縦区画スリット１３、１３間の間隔は、絶縁スリット７や横区画スリット１１の間隔（第１、第２ヒューズ部８、１２の間隔）と等しくされている。そのため、小電極１４、１５間、小電極１５、１６間、小電極１６と第２分割電極１０との間には、それぞれ１個の第１ヒューズ部８又は第２ヒューズ部１２が位置しており、小電極１４と小電極１５、小電極１５と小電極１６、小電極１６と第２分割電極１０とはそれぞれ第１ヒューズ部８又は第２ヒューズ部１２によって接続されている。
【００２３】
また、縦区画スリット１３は、絶縁スリット７や横区画スリット１１と同様に断続的に形成されており、縦区画スリット１３、１３間には第３ヒューズ部１７が形成されている。なお、この状態は、フィルム幅方向に延びる縦区画スリット１３上に第３ヒューズ部１７が形成されているともいえる。そして、フィルム長手方向に隣接する小電極同士が、第３ヒューズ部１７を介して接続されている。
【００２４】
ただ、全ての小電極間に第３ヒューズ部１７が形成されているわけではない。具体的に説明すると、ある任意の小電極のフィルム長手方向の両側には２個の小電極が隣接するが、いずれか一方の小電極との間にのみ第３ヒューズ部１７が形成され、他方の小電極との間には第３ヒューズ部１７は形成されない。また、例えばある縦区画スリット１３において、小電極１４、１４間に第３ヒューズ部１７が形成された場合には、小電極１５、１５間には第３ヒューズ部１７は形成されず、小電極１６、１６間に第３ヒューズ部１７が形成される。反対に、小電極１４、１４間に第３ヒューズ部１７が形成されていない場合には、小電極１５、１５間に第３ヒューズ部１７が形成され、小電極１６、１６間には第３
ヒューズ部１７は形成されない。すなわち、第３ヒューズ部１７がフィルム長手方向や幅方向に連続して設けられるのではなく、小電極を介してひとつおきに形成されている、換言すれば、金属化フィルム２、３を平面視した場合、第３ヒューズ部１７が千鳥状の配置となるように各小電極間に形成されているのである。
【００２５】
このように、第３ヒューズ部１７を千鳥配置とすることにより、小電極１４においてはヒューズ部が２個、小電極１５、１６ではヒューズ部が３個となり、フィルム長手方向に隣接する小電極同士を全て第３ヒューズ部１７で接続した場合に比べて、ヒューズ部の数をそれぞれ１個ずつ減らすことができる。そのため、印加電圧が低い場合や温度が高い場合等でも、ヒューズ部の動作性が向上し、絶縁破壊の発生を抑制することができる。また、電流経路が簡素化されるため、ヒューズ部の厚みや幅の設定をより簡単に行うことができる。さらに、千鳥配置とすることで、ヒューズ部の数を減らしながらも、フィルム長手方向の電流経路（小電極間の接続）を確保することができ、自己保安機能による静電容量の低下を抑えることができる。また、本発明の金属化フィルムにおいては、第１、第２ヒューズ部８、１２がフィルム幅方向において直線状に設けられているため、フィルム幅方向における電流経路が短くなり、ＥＳＲ（等価直列抵抗）が低減される。
【００２６】
なお、第３ヒューズ部１７の動作性は、第１、第２ヒューズ部８、１２の動作性に比べて悪い傾向にある。そこで、第１、第２ヒューズ部８、１２の幅ｗ１よりも第３ヒューズ部１７の幅ｗ２を狭く形成することが好ましい。また、その比率としては、第３ヒューズ部１７の幅ｗ２を１とした場合、第１、第２ヒューズ部８、１２の幅ｗ１が１．２〜２．０程度とすることが好ましい。これにより、第３ヒューズ部１７においても良好なヒューズ動作性を得ることができる。また、第３ヒューズ部１７の幅ｗ２を狭くしても、等価直列抵抗への影響は小さく、ヒューズ部での発熱が過大になるといったことは無い。
【００２７】
以上に、この発明の具体的な実施形態について説明したが、この発明は上記実施形態に限定されるものではなく、この発明の範囲内で種々変更して実施することが可能である。例えば、上記実施形態においては、第３ヒューズ部１７の配置を千鳥配置としていたが、ある縦区画スリット１３に３個の第３ヒューズ部１７を形成し、その縦区画スリット１３に隣接する縦区画スリット１３には一切第３ヒューズ部１７を形成せず、さらに、この一切第３ヒューズ部１７の形成されていない縦区画スリット１３に隣接する縦区画スリット１３には３個の第３ヒューズ部１７を形成するといった第３ヒューズ部１７の配置方法を採用しても良い。
【００２８】
また、上記実施形態では、フィルム長手方向に連続する第２分割電極１０が形成されていたが、蒸着電極の全範囲を横区画スリット１１や縦区画スリット１３で区画し、全範囲に亘って小電極を形成するようにしても良い。また、小電極の数についても、フィルム幅方向に３個と限らず適宜変更可能である。また、小電極のフィルム幅方向の幅が、絶縁マージン５側にいくにつれて小とされていたが、一部又は全てを同幅としても良い。
【００２９】
また、上記実施形態においては、誘電体フィルムの片面にのみ蒸着電極を設けていたが、両面に設けるようにしても良い。また、第１金属化フィルム２と第２金属化フィルム３とを１枚ずつ重ね合わせるようにして金属化フィルムコンデンサ１を構成していたが、第１、第２金属化フィルム２、３を交互に重ね合わせ（蒸着電極間に誘電体フィルムが介在するように重ね合わせ）、さらにこれを巻回又は積層することで、金属化フィルムコンデンサ１を構成するようにしても良い。
【符号の説明】
【００３０】
１・・金属化フィルムコンデンサ、２・・第１金属化フィルム、２Ａ・・第１誘電体フィルム、２Ｂ・・第１蒸着電極、３・・第２金属化フィルム、３Ａ・・第２誘電体フィル
ム、３Ｂ・・第２蒸着電極、４・・メタリコン電極、５・・絶縁マージン、６・・電極接続部、７・・絶縁スリット、８・・第１ヒューズ部、９・・第１分割電極、１０・・第２分割電極、１１・・横区画スリット、１２・・第２ヒューズ部、１３・・縦区画スリット、１４、１５、１６・・小電極、１７・・第３ヒューズ部、Ｗ・・蒸着金属のフィルム幅方向における有効幅、ｗ１・・第１、第２ヒューズ部の幅、ｗ２・・第３ヒューズ部の幅
【図１】
2016111030.tif 000003